(57)【要約】【課題】  本発明は、潜像凹版の背景部と潜像部の画線を微小表示体として形成したとしても、潜像画像がはっきりと視認することができる偽造防止印刷物を提案するものである。【解決手段】  本発明の偽造防止印刷物は、基材上に、第１の方向に盛り上がりのある微小表示体が配列して形成される背景部と、第２の方向に盛り上がりのある微小表示体が配列して形成され潜像部によって潜像画像が形成され、背景部及び潜像部を形成する微小表示体の少なくとも一方が斜体文字で形成された印刷物であって、印刷物を所定の角度で傾けて観察した場合、潜像画像が観察されることを特徴とする。【選択図】  図５
2018079656.tif 000002
【特許請求の範囲】
【請求項１】
基材上に、盛り上がりのある微小表示体又は画線のいずれか一方が第１の方向に配列して形成される背景部と、盛り上がりのある微小表示体又は画線の他方が第２の方向に配列して形成され潜像部によって潜像画像が形成され、
前記微小表示体は、斜体文字で形成された印刷物であって、
前記印刷物を所定の角度で傾けて観察した場合、前記潜像画像が観察されることを特徴とする偽造防止印刷物。
【請求項２】
基材上に、盛り上がりのある微小表示体が第１の方向に配列して形成される背景部と、盛り上がりのある微小表示体が第２の方向に配列して形成され潜像部によって潜像画像が形成され、
前記背景部及び前記潜像部を形成する前記微小表示体の少なくとも一方が斜体文字で形成された印刷物であって、
前記印刷物を所定の角度で傾けて観察した場合、前記潜像画像が観察されることを特徴とする偽造防止印刷物。
【請求項３】
前記第１の方向の配列方向と、前記第２の方向の配列方向が４５〜１３５度の範囲で異なることを特徴とする請求項１又は２記載の偽造防止印刷物。
【請求項４】
前記微小表示体の字高が、１００μｍ〜１，０００μｍで設けていることを特徴とする請求項１から３までのいずれか１項記載の偽造防止印刷物。
【発明の詳細な説明】
【技術分野】
【０００１】
本発明は、銀行券、株券、有価証券、通行券、パスポート、商品券、カード等の偽造防止が要求される貴重印刷物に適用される偽造防止印刷物に関するものである。
【背景技術】
【０００２】
銀行券、株券、債券等の有価証券、カード、各種証明書、重要書類等の貴重印刷物は、その性質上、偽造や改ざんをされないことが要求される。また、貴重印刷物は、真正物か偽造物であるかを真偽判別するための技術も併せて要求される。その一つの手段として、古くから貴重印刷物には、微小表示体（微小文字）や潜像凹版と呼ばれる偽造防止技術が採用されている。
【０００３】
微小表示体は、１００μｍ〜１，０００μｍの大きさの文字、数字、記号、図柄等を印刷等で形成したものである。
【０００４】
例えば、微小文字を画線と連続して配置することで、肉眼では全てが画線として認識でき、複写した場合に微小文字は再現されないため、全体が画線となって再現されるという技術が開示されている（例えば、特許文献１参照）。
【０００５】
潜像凹版は、凹版インキ等で盛り上がって印刷された画線を用いることで効果を奏するものである。図１は、従来の潜像凹版の画線構成を示している。図１（ａ）の一部を拡大したものを図１（ｂ）に示している。例えば、図１（ａ）及び（ｂ）に示したように、偽造防止印刷物（ａ１）は、基材（１´）上の潜像凹版印刷領域（２´）に印刷模様が形成され、印刷模様には、背景部（３´）を成す画線（３ａ´）、非画線（３ｂ´）と、潜像部（４´）を成す画線（４ａ´）、非画線（４ｂ´）が、９０度の２方向の差異を持った線状の画線によって配置している。この偽造防止印刷物（ａ１）の印刷面を真正面から見て観察した場合、潜像部（４´）から成る潜像模様「Ｐ」文字を容易に認識することができないが、図２に示したＳ１方向（斜め）から観察すると、例えば、凹版インキのような盛り上がった画線では、画線群で隣り合う画線との死角によって重なり合うため、背景部（３´）の領域は潜像部（４´）の領域よりも低明度となる。これにより、背景部（３´）及び潜像部（４´）から成る潜像模様「Ｐ」文字が顕像となって出現する。この技術の特徴は、判別具を用意せずとも簡単に真偽判別することができる。
【０００６】
例えば、特公昭５６−１９２７３号公報では、印刷物を傾けて観察して画像を現出するような方法として、印刷基材上に縦横の画線で構成される画像を凹版印刷することで印刷面を真上から見て観察した場合には、確認することができない潜像が角度を変えて観察すると顕像化される方法が開示されている（例えば、特許文献２参照）。
【０００７】
図３は、図１に示された従来の潜像凹版の画線を正体の微小表示体に置き換えた偽造防止印刷物（ａ２）を示している。図３（ａ）の一部を拡大したものを図３（ｂ）に示している。例えば、図３（ａ）及び（ｂ）に示したように、偽造防止印刷物（ａ２）は、基材（１´）上の盛り上がりのある潜像凹版印刷領域（２´）に印刷模様が形成され、印刷模様には、背景部（３´）を成す正体の微小表示体（３ｃ´）、非画線（３ｂ´）と、潜像部（４´）を成す正体の微小表示体（４ｃ´）、非画線（４ｂ´）が、９０度の２方向の差異を持った万線状の正体の微小表示体によって配置している。この偽造防止印刷物（ａ２）の印刷面を真正面から見て観察した場合、潜像部（４´）から成る潜像模様「Ｐ」文字を容易に認識することができないが、図４に示したＳ１方向（斜め）から観察すると、例えば、凹版インキのような盛り上がった正体の微小表示体では、正体の微小表示体群で隣り合う正体の微小表示体との死角によって重なり合うため、背景部（３´）の領域は潜像部（４´）の領域よりも低明度となる。これにより、背景部（３´）及び潜像部（４´）から成る潜像模様「Ｐ」文字が顕像となって出現する。
【先行技術文献】
【特許文献】
【０００８】
【特許文献１】特許第３３９２８９２号公報
【特許文献２】特公昭５６−１９２７３号公報
【発明の概要】
【発明が解決しようとする課題】
【０００９】
しかし、図１（ｂ）に示した画線（３ａ´）及び画線（４ａ´）を、図３（ｂ）に示した正体の微小表示体（３ｃ´）及び正体の微小表示体（４ｃ´）に置き換えたことにより、偽造防止印刷物（ａ２）を拡大鏡（ルーペ）で観察した場合、正体の微小表示体は、文字としての可読性があり、画線として構成された潜像凹版よりも偽造抵抗力が向上するが、図２及び図４を比較すると、図４は、正体の微小表示体間に非画線部を有するため、傾けて観察した場合に背景部（３´）と潜像部（４´）で濃度差が生じにくくなるため、従来よりも潜像画像の視認性が劣る問題があった。
【００１０】
そこで、本発明は、前述した課題の解決を目的とするものであり、潜像凹版の背景部と潜像部の画線を微小表示体として形成したとしても、潜像画像がはっきりと視認することができる偽造防止印刷物を提案するものである。
【課題を解決するための手段】
【００１１】
本発明の偽造防止印刷物は、基材上に、盛り上がりのある微小表示体又は画線のいずれか一方が第１の方向に配列して形成される背景部と、盛り上がりのある微小表示体又は画線の他方が第２の方向に配列して形成され潜像部によって潜像画像が形成され、微小表示体は、斜体文字で形成された印刷物であって、印刷物を所定の角度で傾けて観察した場合、潜像画像が観察されることを特徴とする。
【００１２】
本発明の偽造防止印刷物は、基材上に、盛り上がりのある微小表示体が第１の方向に配列して形成される背景部と、盛り上がりのある微小表示体が第２の方向に配列して形成され潜像部によって潜像画像が形成され、背景部及び潜像部を形成する微小表示体の少なくとも一方が斜体文字で形成された印刷物であって、印刷物を所定の角度で傾けて観察した場合、潜像画像が観察されることを特徴とする。
【００１３】
本発明の偽造防止印刷物は、第１の方向の配列方向と、第２の方向の配列方向が４５〜１３５度の範囲で異なることを特徴とする。
【００１４】
本発明の偽造防止印刷物は、微小表示体の字高が、１００μｍ〜１，０００μｍで設けていることを特徴とする。
【発明の効果】
【００１５】
本発明の偽造防止印刷物は、潜像凹版の背景部と潜像部の画線を微小表示体として形成したとしても、微小表示体が斜体であるため、傾けて観察した場合に微小表示体間に非画線部が遮断されるため、潜像画像がはっきりと視認することができ、容易に本物か否か判別することができる。
【００１６】
また、本発明の偽造防止印刷物は、斜体の微小表示体を用いるため、字の高さだけでなく、字を斜体にすることで左右への方向に字を広げることが可能となり、デザインの自由度が向上する。
【図面の簡単な説明】
【００１７】
【図１】偽造防止印刷物の一部を拡大して、従来の潜像凹版の画線構成を示した説明図。
【図２】図１に示した偽造防止印刷物の斜視図。
【図３】偽造防止印刷物の一部を拡大して、図１に示した従来の潜像凹版の画線を正体の微小表示体に置き換えたものを示した説明図。
【図４】図３に示した偽造防止印刷物の斜視図。
【図５】実施の形態１の偽造防止印刷物（Ａ１）の説明図。
【図６】図５に示した偽造防止印刷物の斜視図。
【図７】斜体の微小表示体と正体の微小表示体を傾けて観察した場合の非画線部の遮断具合（非画線部の有無）を示した説明図。
【図８】斜体の微小表示体の傾き具合による遮断幅を示した説明図。
【図９】実施の形態２の偽造防止印刷物（Ａ２）の説明図。
【図１０】実施の形態３の偽造防止印刷物（Ａ３）の説明図。
【図１１】実施の形態４の偽造防止印刷物（Ａ４）の説明図。
【図１２】実施の形態５の偽造防止印刷物（Ａ５）の説明図。
【図１３】実施の形態６の偽造防止印刷物（Ａ６）の説明図。
【図１４】実施の形態７の偽造防止印刷物（Ａ７）の説明図。
【図１５】実施の形態８の偽造防止印刷物（Ａ８）の説明図。
【図１６】実施の形態９の偽造防止印刷物（Ａ９）の説明図。
【図１７】実施の形態１０の偽造防止印刷物（Ａ１０）の説明図。
【図１８】実施の形態１１の偽造防止印刷物（Ａ１１）の説明図。
【図１９】斜体の微小表示体の一例を示した説明図。
【図２０】斜体の微小表示体の一例を示した説明図。
【図２１】模様によるカモフラージュ模様の一例を示した説明図。
【図２２】画線の一例を示した説明図。
【図２３】画線の一例を示した説明図。
【発明を実施するための形態】
【００１８】
以下、本発明の偽造防止印刷物について、本発明を実施するための形態として、図面を用いて説明する。しかしながら、本発明は以下に述べる実施するための形態に限定されるものではなく、特許請求の範囲に記載されている技術の範疇であれば、その他様々な実施の形態が含まれる。
【００１９】
（実施の形態１）
図５は、図３に示された正体の微小表示体を斜体の微小表示体に置き換えた実施の形態１の偽造防止印刷物（Ａ１）を示す。図５（ａ）の一部を拡大したものを図５（ｂ）に示す。例えば、図５（ａ）及び（ｂ）に示すように、基材（１）上の盛り上がりのある潜像凹版印刷領域（２）に形成される印刷模様は、背景部（３）を成す斜体の微小表示体（３ｄ）、非画線（３ｂ）と、潜像部（４）を成す斜体の微小表示体（４ｄ）及び非画線（４ｂ）から成り、背景部（３）及び潜像部（４）は、９０度の２方向の差異を持った万線状の斜体の微小表示体によって配置している。
【００２０】
この偽造防止印刷物（Ａ１）の印刷面を真正面から見て観察した場合、施されている潜像部（４）から成る潜像模様「Ｐ」文字を容易に認識することができない。例えば、図６に示すように、Ｓ１方向（斜め）から観察すると、凹版インキのような盛り上がった斜体の微小表示体では、斜体の微小表示体群で隣り合う斜体の微小表示体との死角によって重なり合うため、背景部（３）の領域は潜像部（４）の領域よりも低明度となる。これにより、背景部（３）及び潜像部（４）から成る潜像模様「Ｐ」文字が顕像となって出現する。
【００２１】
また、背景部（３）に配列される斜体の微小表示体（３ｄ）が同一ピッチ又はほぼ同一ピッチで、かつ、同一面積率又はほぼ同一面積率で配置され、潜像部（４）に配列される斜体の微小表示体（４ｄ）が、微小表示体（３ｄ）のピッチと同一ピッチ又はほぼ同一ピッチで、かつ、微小表示体（３ｄ）のピッチの面積率と同一面積率又はほぼ同一面積率で配置される。
【００２２】
また、斜体の微小表示体（３ｄ）の配列方向と、斜体の微小表示体（４ｄ）の配列方向の角度の差が４５〜１３５度の範囲で異なる。
【００２３】
さらに、斜体の微小表示体（３ｄ）と斜体の微小表示体（４ｄ）の字高は、１００μｍ〜１，０００μｍの範囲で形成する。
【００２４】
図７は、斜体の微小表示体と正体の微小表示体を傾けて観察した場合の非画線部の遮断具合（非画線部の有無）を示す図である。図７（ａ）は、図５（ｂ）に示す斜体の微小表示体（３ｄ）の一部の文字「ＪＰＮ」を抜き出した図である。図７（ｃ）は、図３（ｂ）に示す正体の微小表示体（３ｃ´）の一部の文字「ＪＰＮ」を抜き出した図である。
【００２５】
図７（ｂ）は、図７（ａ）をＳ１方向（斜め）から観察した場合を示す図である。図７（ｂ）の斜体の微小表示体（３ｄ）をＳ１方向（斜め）から観察しても文字と文字の間隔（ＢＷ１）自体は、物理的に動かないので間隔は変わらない。しかしながら、斜体の微小表示体（３ｄ）の「Ｊ」文字と「Ｐ」文字が斜体のため、文字と文字の間隔（ＢＷ１）は、Ｓ１方向（斜め）から観察することにより、「Ｊ」文字と「Ｐ」文字の死角によって、図７（ｂ）が示す文字と文字が重なる幅（Ｗ１）が発生し、「Ｊ」文字と「Ｐ」文字に隙間（非画線）がない一直線の画線のように視認される。
【００２６】
また、「Ｐ」文字と「Ｎ」文字の関係についても同等であり、図７（ｂ）が示す文字と文字が重なる幅（Ｗ２）が発生し、「Ｐ」文字と「Ｎ」文字に隙間（非画線）がない一直線の画線のように視認され、図５（ｂ）に示す斜体の微小表示体（３ｄ）のように文字「ＪＰＮ」が連続して並ぶと、Ｓ１方向（斜め）から観察することにより、一見、図１（ｂ）に示す画線（３ａ´）のような一直線の画線として視認される。また、文字と文字の間隔（ＢＷ１）は、図５（ｂ）に示す非画線部（３ｂ）でもある。文字の盛り上がり高さ（Ｈ１）については、斜体の微小表示体（３ｄ）のＳ１方向（斜め）から観察する傾きが小さくても、文字の盛り上がり高さ（Ｈ１）により文字と文字の死角ができ易くなるため、潜像凹版の視認性が優れる。
【００２７】
図７（ｄ）は、図７（ｃ）をＳ１方向（斜め）から観察した場合を示す図である。図７（ｄ）の正体の微小表示体（３ｃ´）をＳ１方向（斜め）から観察しても文字と文字の間隔（ＢＷ２）自体は、物理的に動かないので間隔は変わらない。正体の微小表示体（３ｃ´）の「Ｊ」文字と「Ｐ」文字が正体のため、文字と文字の間隔（ＢＷ２）は、Ｓ１方向（斜め）から観察しても、「Ｊ」文字と「Ｐ」文字の死角にならず、図７（ｄ）が示す文字と文字が重なる幅（Ｗ３）が発生しないため、「Ｊ」文字と「Ｐ」文字に隙間（非画線）があるので一直線の画線のように視認されない。
【００２８】
また、「Ｐ」文字と「Ｎ」文字の関係についても同等であり、図７（ｄ）が示す文字と文字が重なる幅（Ｗ４）が発生しないため、「Ｐ」文字と「Ｎ」文字に隙間（非画線）があるので一直線の画線のように視認されない。図３（ｂ）に示す正体の微小表示体（３ｃ´）のように文字「ＪＰＮ」を連続して並べ、Ｓ１方向（斜め）から観察しても、図１（ｂ）に示す画線（３ａ´）のような一直線の画線として視認されない。また、文字と文字の間隔（ＢＷ２）は、図３（ｂ）に示す非画線部（３ｂ´）でもある。文字の盛り上がり高さ（Ｈ２）については、正体の微小表示体（３ｃ´）のＳ１方向（斜め）から観察する傾きが大きくても小さくても、文字の盛り上がり高さ（Ｈ２）により文字と文字の死角ができないため、潜像凹版の視認性は劣る。
【００２９】
すなわち、正体の微小表示体間には非画線部を有するため、傾けて観察した場合に背景部と潜像部で濃度差が生じにくいため、図４に示すように潜像画像の視認性が劣るが、斜体の微小表示体間には非画線部を有しないため、傾けて観察した場合に背景部と潜像部で濃度差が生じ、図６に示すように潜像画像の視認性が優れる。
【００３０】
図８は、斜体の微小表示体の傾き具合による遮断幅を示している。図８（ａ）、（ｂ）及び（ｃ）は、斜体の微小表示体（３ｄ）の文字の傾き角度（Ｋ１）、（Ｋ２）及び（Ｋ３）の違いによる文字と文字が重なる幅（Ｗ１）から（Ｗ８）までを示す図である。図８（ａ）の文字の傾き角度（Ｋ１）のときに、「Ｊ」文字と「Ｐ」文字の死角によって、文字と文字が重なる幅（Ｗ１）が発生し、「Ｐ」文字と「Ｎ」文字の死角によって、文字と文字が重なる幅（Ｗ２）が発生する。これは、図７（ａ）及び（ｂ）に示したものと同等である。図８（ｂ）の文字の傾き角度（Ｋ２）のときに、「Ｊ」文字と「Ｐ」文字の死角によって、文字と文字が重なる幅（Ｗ５）が発生し、「Ｐ」文字と「Ｎ」文字の死角によって、文字と文字が重なる幅（Ｗ６）が発生する。図８（ｃ）の文字の傾き角度（Ｋ３）のときに、「Ｊ」文字と「Ｐ」文字の死角によって、文字と文字が重なる幅（Ｗ７）が発生し、「Ｐ」文字と「Ｎ」文字の死角によって、文字と文字が重なる幅（Ｗ８）が発生する。
【００３１】
すなわち、図８（ａ）、（ｂ）及び（ｃ）が示す文字の傾き角度Ｋ１、Ｋ２及びＫ３は、文字の傾き角度が大きくなるに従って、文字が重なる幅（Ｗ）が小さくなる。しかし、文字の傾き角度（Ｋ）が更に鈍角になり、文字と文字が重なる幅（Ｗ）が小さくなったとしても、文字の傾き角度（Ｋ）がある限り、図７（ａ）及び（ｂ）に示した現象は発生する。文字の傾き角度（Ｋ）があまりにも鋭角になりすぎると、文字が斜体になり過ぎ、文字自体の可読性が悪くなるが、文字と文字が重なる幅（Ｗ）は大きくなるため、潜像画像の視認性が優れる。
【００３２】
また、垂直と水平以外の文字の傾き角度（Ｋ）を有していれば、斜体の微小表示体の範囲である。言い替えれば、正体の微小表示体以外は、斜体の微小表示体の範囲である。さらに、図１９及び図２０に示す斜体の微小表示体も範囲である。
【００３３】
（実施の形態２）
図９は、実施の形態２の偽造防止印刷物（Ａ２）を示す。図９（ａ）の一部を拡大したものを図９（ｂ）に示す。例えば、図９（ａ）及び（ｂ）に示すように、基材（１）上の盛り上がりのある潜像凹版印刷領域（２）に形成される印刷模様は、背景部（３）を成す斜体の微小表示体（３ｄ）及び非画線（３ｂ）と、潜像部（４）を成す正体の微小表示体（４ｃ）及び非画線（４ｂ）から成り、背景部（３）及び潜像部（４）は、９０度の２方向の差異を持った万線状の斜体の微小表示体と正体の微小表示体によって配置している。
【００３４】
この偽造防止印刷物（Ａ２）の印刷面を真正面から見て観察した場合、施されている潜像部（４）から成る潜像模様「Ｐ」文字を容易に認識することができないが、図６に示したＳ１方向（斜め）から観察すると、例えば、凹版インキのような盛り上がった斜体の微小表示体では、斜体の微小表示体群で隣り合う斜体の微小表示体との死角によって重なり合うため、背景部（３）の領域は潜像部（４）の領域よりも低明度となる。これにより、背景部（３）及び潜像部（４）から成る潜像模様「Ｐ」文字が顕像となって出現する。
【００３５】
また、背景部（３）に配列される斜体の微小表示体（３ｄ）が同一ピッチ又はほぼ同一ピッチで、かつ、同一面積率又はほぼ同一面積率で配置され、潜像部（４）に配列される正体の微小表示体（４ｃ）が、微小表示体（３ｄ）のピッチと同一ピッチ又はほぼ同一ピッチで、かつ、微小表示体（３ｄ）のピッチの面積率と同一面積率又はほぼ同一面積率で配置される。
【００３６】
また、斜体の微小表示体（３ｄ）の配列方向と、正体の微小表示体（４ｃ）の配列方向の角度の差が４５〜１３５度の範囲で異なる。
【００３７】
さらに、斜体の微小表示体（３ｄ）と正体の微小表示体（４ｃ）の字高は、１００μｍ〜１，０００μｍの範囲で形成する。
【００３８】
（実施の形態３）
図１０は、実施の形態３の偽造防止印刷物（Ａ３）を示す。図１０（ａ）の一部を拡大したものを図１０（ｂ）に示す。例えば、図１０（ａ）及び（ｂ）に示すように、基材（１）上の盛り上がりのある潜像凹版印刷領域（２）に形成される印刷模様は、背景部（３）を成す斜体の微小表示体（３ｄ）及び非画線（３ｂ）と、潜像部（４）を成す画線（４ａ）及び非画線（４ｂ）から成り、背景部（３）及び潜像部（４）は、９０度の２方向の差異を持った万線状の斜体の微小表示体と画線によって配置している。
【００３９】
この偽造防止印刷物（Ａ３）の印刷面を真正面から見て観察した場合、施されている潜像部（４）から成る潜像模様「Ｐ」文字を容易に認識することができないが、図６に示したＳ１方向（斜め）から観察すると、例えば、凹版インキのような盛り上がった斜体の微小表示体では、斜体の微小表示体群で隣り合う斜体の微小表示体との死角によって重なり合うため、背景部（３）の領域は潜像部（４）の領域よりも低明度となる。これにより、背景部（３）及び潜像部（４）から成る潜像模様「Ｐ」文字が顕像となって出現する。
【００４０】
また、背景部（３）に配列される斜体の微小表示体（３ｄ）が同一ピッチ又はほぼ同一ピッチで、かつ、同一面積率又はほぼ同一面積率で配置され、潜像部（４）に配列される画線（４ａ）が、微小表示体（３ｄ）のピッチと同一ピッチ又はほぼ同一ピッチで、かつ、微小表示体（３ｄ）のピッチの面積率と同一面積率又はほぼ同一面積率で配置される。
【００４１】
また、斜体の微小表示体（３ｄ）の配列方向と、画線（４ａ）の配列方向の角度の差が４５〜１３５度の範囲で異なる。
【００４２】
さらに、斜体の微小表示体（３ｄ）の字高は、１００μｍ〜１，０００μｍの範囲で形成する。
【００４３】
（実施の形態４）
図１１は、実施の形態４の偽造防止印刷物（Ａ４）を示す。図１１（ａ）の一部を拡大したものを図１１（ｂ）に示す。例えば、図１１（ａ）及び（ｂ）に示すように、基材（１）上の盛り上がりのある潜像凹版印刷領域（２）に形成される印刷模様は、背景部（３）を成す画線（３ａ）及び非画線（３ｂ）と、潜像部（４）を成す斜体の微小表示体（４ｄ）及び非画線（４ｂ）から成り、背景部（３）及び潜像部（４）は、９０度の２方向の差異を持った万線状の画線と斜体の微小表示体によって配置している。
【００４４】
この偽造防止印刷物（Ａ４）の印刷面を真正面から見て観察した場合、施されている潜像部（４）から成る潜像模様「Ｐ」文字を容易に認識することができないが、図６に示したＳ１方向（斜め）から観察すると、例えば、凹版インキのような盛り上がった画線では、画線群で隣り合う画線との死角によって重なり合うため、背景部（３）の領域は潜像部（４）の領域よりも低明度となる。これにより、背景部（３）及び潜像部（４）から成る潜像模様「Ｐ」文字が顕像となって出現する。
【００４５】
また、背景部（３）に配列される画線（３ａ）が同一ピッチ又はほぼ同一ピッチで、かつ、同一面積率又はほぼ同一面積率で配置され、潜像部（４）に配列される斜体の微小表示体（４ｄ）が、画線（３ａ）のピッチと同一ピッチ又はほぼ同一ピッチで、かつ、画線（３ａ）のピッチの面積率と同一面積率又はほぼ同一面積率で配置される。
【００４６】
また、画線（３ａ）の配列方向と、斜体の微小表示体（４ｄ）の配列方向の角度の差が４５〜１３５度の範囲で異なる。
【００４７】
さらに、斜体の微小表示体（４ｄ）の字高は、１００μｍ〜１，０００μｍの範囲で形成する。
【００４８】
（実施の形態５）
図１２は、実施の形態５の偽造防止印刷物（Ａ５）を示す。図１２（ａ）の一部を拡大したものを図１２（ｂ）に示す。例えば、図１２（ａ）及び（ｂ）に示すように、基材（１）上の盛り上がりのある潜像凹版印刷領域（２）に形成される印刷模様は、背景部（３）を成す画線（３ａ）、非画線（３ｂ）及び斜体の微小表示体（３ｄ）と、潜像部（４）を成す斜体の微小表示体（４ｄ）及び非画線（４ｂ）から成り、背景部（３）及び潜像部（４）は、９０度の２方向の差異を持った万線状の画線と斜体の微小表示体によって配置している。背景部（３）は、画線（３ａ）、非画線（３ｂ）、斜体の微小表示体（３ｄ）及び非画線（３ｂ）が順次配列されて成る。
【００４９】
この偽造防止印刷物（Ａ５）の印刷面を真正面から見て観察した場合、施されている潜像部（４）から成る潜像模様「Ｐ」文字を容易に認識することができないが、図６に示したＳ１方向（斜め）から観察すると、例えば、凹版インキのような盛り上がった画線と斜体の微小表示体では、画線と斜体の微小表示体群で隣り合う画線と斜体の微小表示体との死角によって重なり合うため、背景部（３）の領域は潜像部（４）の領域よりも低明度となる。これにより、背景部（３）及び潜像部（４）から成る潜像模様「Ｐ」文字が顕像となって出現する。
【００５０】
また、背景部（３）に配列される画線（３ａ）と斜体の微小表示体（３ｄ）が同一ピッチ又はほぼ同一ピッチで、かつ、同一面積率又はほぼ同一面積率で配置され、潜像部（４）に配列される斜体の微小表示体（４ｄ）が、画線（３ａ）と斜体の微小表示体（３ｄ）のピッチと同一ピッチ又はほぼ同一ピッチで、かつ、画線（３ａ）と斜体の微小表示体（３ｄ）のピッチの面積率と同一面積率又はほぼ同一面積率で配置される。
【００５１】
また、画線（３ａ）と斜体の微小表示体（３ｄ）の配列方向と、斜体の微小表示体（４ｄ）の配列方向の角度の差が４５〜１３５度の範囲で異なる。
【００５２】
さらに、斜体の微小表示体（３ｄ）と斜体の微小表示体（４ｄ）の字高は、１００μｍ〜１，０００μｍの範囲で形成する。
【００５３】
（実施の形態６）
図１３は、実施の形態６の偽造防止印刷物（Ａ６）を示す。図１３（ａ）の一部を拡大したものを図１３（ｂ）に示す。例えば、図１３（ａ）及び（ｂ）に示すように、基材（１）上の盛り上がりのある潜像凹版印刷領域（２）に形成される印刷模様は、背景部（３）を成す斜体の微小表示体（３ｄ）、画線（３ａ）及び非画線（３ｂ）と、潜像部（４）を成す斜体の微小表示体（４ｄ）及び非画線（４ｂ）から成り、背景部（３）及び潜像部（４）は、９０度の２方向の差異を持った万線状の画線と斜体の微小表示体によって配置している。背景部（３）の斜体の微小表示体（３ｄ）及び画線（３ａ）は、一画線上で交互に成る画線の形態と成る。また、斜体の微小表示体（３ｄ）及び画線（３ａ）が一画線上で交互に成る画線及び非画線（３ｂ）が順次配置されて成る。
【００５４】
この偽造防止印刷物（Ａ６）の印刷面を真正面から見て観察した場合、施されている潜像部（４）から成る潜像模様「Ｐ」文字を容易に認識することができないが、図６に示されたように、図６に示すＳ１方向（斜め）から観察すると、例えば、凹版インキのような盛り上がった画線と斜体の微小表示体では、画線と斜体の微小表示体群で隣り合う画線と斜体の微小表示体との死角によって重なり合うため、背景部（３）の領域は潜像部（４）の領域よりも低明度となる。これにより、背景部（３）及び潜像部（４）から成る潜像模様「Ｐ」文字が顕像となって出現する。
【００５５】
また、背景部（３）に配列される画線（３ａ）と斜体の微小表示体（３ｄ）が一画線上で交互に成る画線が同一ピッチ又はほぼ同一ピッチで、かつ、同一面積率又はほぼ同一面積率で配置され、潜像部（４）に配列される斜体の微小表示体（４ｄ）が、画線（３ａ）と斜体の微小表示体（３ｄ）のピッチと同一ピッチ又はほぼ同一ピッチで、かつ、画線（３ａ）と斜体の微小表示体（３ｄ）のピッチの面積率と同一面積率又はほぼ同一面積率で配置される。
【００５６】
また、画線（３ａ）と斜体の微小表示体（３ｄ）が一画線上で交互に成る画線の配列方向と、斜体の微小表示体（４ｄ）の配列方向の角度の差が４５〜１３５度の範囲で異なる。
【００５７】
さらに、斜体の微小表示体（３ｄ）と斜体の微小表示体（４ｄ）の字高は、１００μｍ〜１，０００μｍの範囲で形成する。
【００５８】
（実施の形態７）
図１４は、実施の形態７の偽造防止印刷物（Ａ７）を示す。図１４（ａ）の一部を拡大したものを図１４（ｂ）に示す。例えば、図１４（ａ）及び（ｂ）に示すように、基材（１）上の盛り上がりのある潜像凹版印刷領域（２）に形成される印刷模様は、背景部（３）を成す斜体の微小表示体（３ｄ）、画線（３ａ）及び非画線（３ｂ）と、潜像部（４）を成す斜体の微小表示体（４ｄ）及び非画線（４ｂ）から成り、背景部（３）及び潜像部（４）は、９０度の２方向の差異を持った万線状の画線と斜体の微小表示体によって配置している。背景部（３）の斜体の微小表示体（３ｄ）及び一部の画線（３ａ）は、一画線上で交互に成る画線の形態と成る。また、斜体の微小表示体（３ｄ）及び画線（３ａ）が一画線上で交互に成る画線、非画線（３ｂ）、画線（３ａ）及び非画線（３ｂ）が順次配置されて成る。
【００５９】
この偽造防止印刷物（Ａ７）の印刷面を真正面から見て観察した場合、施されている潜像部（４）から成る潜像模様「Ｐ」文字を容易に認識することができないが、図６に示されたように、図６に示すＳ１方向（斜め）から観察すると、例えば、凹版インキのような盛り上がった画線と斜体の微小表示体では、画線と斜体の微小表示体群で隣り合う画線と斜体の微小表示体との死角によって重なり合うため、背景部（３）の領域は潜像部（４）の領域よりも低明度となる。これにより、背景部（３）及び潜像部（４）から成る潜像模様「Ｐ」文字が顕像となって出現する。
【００６０】
また、背景部（３）に配列される画線（３ａ）と斜体の微小表示体（３ｄ）が一画線上で交互に成る画線と画線（３ａ）が同一ピッチ又はほぼ同一ピッチで、かつ、同一面積率又はほぼ同一面積率で配置され、潜像部（４）に配列される斜体の微小表示体（４ｄ）が、画線（３ａ）と斜体の微小表示体（３ｄ）のピッチと同一ピッチ又はほぼ同一ピッチで、かつ、画線（３ａ）と斜体の微小表示体（３ｄ）のピッチの面積率と同一面積率又はほぼ同一面積率で配置される。
【００６１】
また、画線（３ａ）と斜体の微小表示体（３ｄ）が一画線上で交互に成る画線と画線（３ａ）の配列方向と、斜体の微小表示体（４ｄ）の配列方向の角度の差が４５〜１３５度の範囲で異なる。
【００６２】
さらに、斜体の微小表示体（３ｄ）と斜体の微小表示体（４ｄ）の字高は、１００μｍ〜１，０００μｍの範囲で形成する。
【００６３】
（実施の形態８）
図１５は、実施の形態８の偽造防止印刷物（Ａ８）を示す。図１５（ａ）の一部を拡大したものを図１５（ｂ）に示す。図５に示した実施の形態１の偽造防止印刷物（Ａ１）と同一の構成については説明を省略し、異なる構成について説明する。図５に示した偽造防止印刷物（Ａ１）は、９０度の２方向の差異を持った単純な万線状の斜体の微小表示体によって配置しているため、背景部（３）及び潜像部（４）から成る潜像模様「Ｐ」文字が若干視認し易くなっている。背景部（３）及び潜像部（４）内に微小表示体によるカモフラージュ模様（５）を加えた場合、カモフラージュ模様（５）を成す斜体の微小表示体（５ｄ）は、背景部（３）を成す斜体の微小表示体（３ｄ）と潜像部（４）を成す斜体の微小表示体（４ｄ）に沿って配置することにより、背景部（３）及び潜像部（４）から成る潜像模様「Ｐ」文字をカモフラージュしている。また、図１５（ｂ）に示すカモフラージュ模様（５）を成す斜体の微小表示体（５ｄ）は、図１９（ａ）から（ｇ）までに示す斜体の微小表示体や正体の微小表示体に置き換えることができる。さらに、斜体や正体の微小表示体の大きさや太さを変えることにより、カモフラージュ模様（５）の模様を黒くしたり、白くしたりすることもできる。
【００６４】
（実施の形態９）
図１６は、実施の形態９の偽造防止印刷物（Ａ９）を示す。図１６（ａ）の一部を拡大したものを図１６（ｂ）に示す。図５に示した実施の形態１の偽造防止印刷物（Ａ１）と同一の構成については説明を省略し、異なる構成について説明する。背景部（３）及び潜像部（４）内に模様によるカモフラージュ模様（５）を加えた場合、カモフラージュ模様（５）を成す模様（５ｅ）は、背景部（３）を成す斜体の微小表示体（３ｄ）と潜像部（４）を成す斜体の微小表示体（４ｄ）に沿って配置することにより、背景部（３）及び潜像部（４）から成る潜像模様「Ｐ」文字をカモフラージュしている。また、図１６（ｂ）に示すカモフラージュ模様（５）を成す模様（５ｅ）は、図２１（ａ）から（ｇ）までに示す模様に置き換えることができる。さらに、模様の大きさや太さを変えることにより、カモフラージュ模様（５）の模様を黒くしたり、白くしたりすることもできる。
【００６５】
（実施の形態１０）
図１７は、実施の形態１０の偽造防止印刷物（Ａ１０）を示す。図１７（ａ）の一部を拡大したものを図１７（ｂ）に示す。図５に示した実施の形態１の偽造防止印刷物（Ａ１）と同一の構成については説明を省略し、異なる構成について説明する。背景部（３）及び潜像部（４）内に微小表示体によるカモフラージュ模様（６）を加えた場合、カモフラージュ模様（６）を成す斜体の微小表示体（６ｄ）は、背景部（３）を成す斜体の微小表示体（３ｄ）と潜像部（４）を成す斜体の微小表示体（４ｄ）に沿わずに配置することにより、背景部（３）及び潜像部（４）から成る潜像模様「Ｐ」文字をカモフラージュしている。また、図１７（ｂ）に示すカモフラージュ模様（６）を成す斜体の微小表示体（６ｄ）は、図１９（ａ）から（ｇ）までに示す斜体の微小表示体や正体の微小表示体に置き換えることができる。さらに、斜体や正体の微小表示体の大きさや太さを変えることにより、カモフラージュ模様（６）の模様を黒くしたり、白くしたりすることもできる。
【００６６】
（実施の形態１１）
図１８は、実施の形態１１の偽造防止印刷物（Ａ１１）を示す。図１８（ａ）の一部を拡大したものを図１８（ｂ）に示す。図５に示した実施の形態１の偽造防止印刷物（Ａ１）と同一の構成については説明を省略し、異なる構成について説明する。背景部（３）及び潜像部（４）内に模様によるカモフラージュ模様（６）を加えた場合、カモフラージュ模様（６）を成す模様（６ｅ）は、背景部（３）を成す斜体の微小表示体（３ｄ）と潜像部（４）を成す斜体の微小表示体（４ｄ）に沿わずに配置することにより、背景部（３）及び潜像部（４）から成る潜像模様「Ｐ」文字をカモフラージュしている。また、図１８（ｂ）に示すカモフラージュ模様（６）を成す模様（６ｅ）は、図２１（ａ）から（ｇ）までに示す模様に置き換えることができる。さらに、模様の大きさや太さを変えることにより、カモフラージュ模様（６）の模様を黒くしたり、白くしたりすることもできる。
【００６７】
実施の形態８、９、１０及び１１は、実施の形態１の偽造防止印刷物（Ａ１）を例として説明しているが、実施の形態２、３、４、５、６及び７と同一構成にカモフラージュ模様を形成することができる。
【００６８】
図１９は、実施の形態１の偽造防止印刷物（Ａ１）から実施の形態１１までの偽造防止印刷物（Ａ１１）に示す斜体の微小表示体の一例を示す。同様に、図２０は、斜体の微小表示体の一例である。図２０（ａ）は、図１９（ａ）を１８０度回転したものを示している。図２０（ｂ）は、図１９（ａ）を垂直方向に反転（リフレクト）したものを示している。図２０（ｃ）は、図２０（ｂ）を１８０度回転したものを示している。図２０（ｄ）は、図１９（ａ）とは反対の角度に斜体したものを示している。図２０（ｅ）は、図２０（ｄ）を１８０度回転したものを示している。図２０（ｆ）は、図２０（ｄ）を垂直方向に反転（リフレクト）したものを示している。図２０（ｇ）は、図２０（ｆ）を１８０度回転したものを示している。斜体の微小表示体は、文字、数字、記号、図柄等、特に限定されるものではない。
【００６９】
図２１は、模様によるカモフラージュ模様の一例を示す。図１６（ｂ）に示すカモフラージュ模様（５）を成す模様（５ｅ）及び図１８（ｂ）に示すカモフラージュ模様（６）を成す模様（６ｅ）を図２１（ａ）から（ｇ）までの模様に置き換えることができる。模様であれば、図２１（ａ）から（ｇ）まで以外も範囲である。
【００７０】
図２２は、画線のその他の例である。図２２（ａ）に示すＬ０からＬ１０までの直線と波線の振幅違いの画線は、図５（ａ）及び（ｂ）に示す潜像部（４）を成す斜体の微小表示体（４ｄ）の斜体の微小表示体と置き換えて画線として使用する一例を示す。また、図２２（ｂ）に示すＬ０からＬ１０までの直線と波線の振幅違いの画線は、図５（ａ）及び（ｂ）に示す背景部（３）を成す斜体の微小表示体（３ｄ）の斜体の微小表示体と置き換えて画線として使用する一例を示す。さらに、図１３（ｂ）及び図１４（ｂ）に示す背景部（３）を成す斜体の微小表示体（３ｄ）と画線（３ａ）の交互の画線のうち、画線（３ａ）の画線部分を図２２（ｂ）に示すＬ０からＬ１０までの直線と波線の振幅違いの画線として置き換えて使用することもできる。
【００７１】
図２３は、画線の一例を示している。図２３（ａ）に示すＬ０からＬ１０までの直線とジグザグ線の振幅違いの画線は、図５（ａ）及び（ｂ）に示す潜像部（４）を成す斜体の微小表示体（４ｄ）の斜体の微小表示体と置き換えて画線として使用する一例を示す。また、図２３（ｂ）に示すＬ０からＬ１０までの直線とジグザグ線の振幅違いの画線は、図５（ａ）及び（ｂ）に示す背景部（３）を成す斜体の微小表示体（３ｄ）の斜体の微小表示体と置き換えて画線として使用する一例を示す。さらに、図１３（ｂ）及び図１４（ｂ）に示す背景部（３）を成す斜体の微小表示体（３ｄ）と画線（３ａ）の交互の画線のうち、画線（３ａ）の画線部分を図２３（ｂ）に示すＬ０からＬ１０までの直線とジグザグ線の振幅違いの画線として置き換えて使用することもできる。
【００７２】
実施の形態１から１１までにおいて、背景部（３）に配置される斜体の微小表示体や画線と、潜像部（４）に配置される微小表示体のインキの高さを異ならせて形成することができる。
【符号の説明】
【００７３】
Ａ１、Ａ２、Ａ３、Ａ４、Ａ５、Ａ６、Ａ７、Ａ８、Ａ９、Ａ１０、Ａ１１  偽造防止印刷物
ａ１、ａ２          偽造防止印刷物
１、１´            基材
２、２´            潜像凹版印刷領域に形成される印刷模様
３、３´            背景部
３ａ、３ａ´        画線
３ｂ、３ｂ´        非画線
３ｃ´              正体の微小表示体
３ｄ                斜体の微小表示体
４、４´            潜像部
４ａ、４ａ´        画線
４ｂ、４ｂ´        非画線
４ｃ、４ｃ´        正体の微小表示体
４ｄ                斜体の微小表示体
５                  カモフラージュ模様
５ｄ                カモフラージュ模様内の斜体の微小表示体
５ｅ                カモフラージュ模様内の模様
６                  カモフラージュ模様
６ｄ                カモフラージュ模様内の斜体の微小表示体
６ｅ                カモフラージュ模様内の模様
ＢＷ１、ＢＷ２      文字と文字の間隔
Ｈ１、Ｈ２          文字の盛り上がり高さ
Ｋ１、Ｋ２、Ｋ３    文字の傾き角度
Ｌ０、Ｌ１、Ｌ２、Ｌ３、Ｌ４、Ｌ５、Ｌ６、Ｌ７、Ｌ８、Ｌ９、Ｌ１０  画線幅と形状と角度
Ｓ１                観察する方向（斜め）
Ｗ１、Ｗ２、Ｗ３、Ｗ４、Ｗ５、Ｗ６、Ｗ７、Ｗ８  文字と文字が重なる幅
【図１】
2018079656.tif 000003
【図２】
2018079656.tif 000004
【図３】
2018079656.tif 000005
【図４】
2018079656.tif 000006
【図５】
2018079656.tif 000007
【図６】
2018079656.tif 000008
【図７】
2018079656.tif 000009
【図８】
2018079656.tif 000010
【図９】
2018079656.tif 000011
【図１０】
2018079656.tif 000012
【図１１】
2018079656.tif 000013
【図１２】
2018079656.tif 000014
【図１３】
2018079656.tif 000015
【図１４】
2018079656.tif 000016
【図１５】
2018079656.tif 000017
【図１６】
2018079656.tif 000018
【図１７】
2018079656.tif 000019
【図１８】
2018079656.tif 000020
【図１９】
2018079656.tif 000021
【図２０】
2018079656.tif 000022
【図２１】
2018079656.tif 000023
【図２２】
2018079656.tif 000024
【図２３】
2018079656.tif 000025